(57)【要約】  プラズマ放電を利用して表示制御を行うプラズマディスプレイ装置であって，複数のアドレス電極と，当該アドレス電極に交差して設けられる複数の表示電極とを有するパネルと，前記アドレス電極と表示電極間のセルに選択的に放電を発生させるアドレス放電駆動と，前記選択されたセルで放電電流が連続的に生じる程度の傾きで電圧が増加する表示駆動パルスを前記表示電極に印加する表示放電駆動とを行う駆動回路とを有する。アドレス放電駆動の後の表示放電駆動では，電圧の上昇傾斜が緩慢な表示駆動パルスが表示電極に印加されるので，表示電極に印加される電圧の上昇中に，選択されたセルにおいて微少放電が連続的に発生する。この鈍波放電によって，表示輝度が制御される。かかる鈍波放電では，従来の強放電とは異なり，表示駆動パルスを印加している間に複数回の微少放電が発生するので，放電効率を向上させ，消費電力を低下させることができる。【特許請求の範囲】
【請求項１】
プラズマ放電を利用して表示制御を行うプラズマディスプレイ装置であって，
複数のアドレス電極と，当該アドレス電極に交差して設けられる複数の表示電極とを有するパネルと，
前記アドレス電極と表示電極間のセルに選択的に放電を発生させるアドレス放電駆動と，前記選択されたセルで放電電流が連続的に生じる程度の傾きで電圧が増加する表示駆動パルスを前記表示電極に印加する表示放電駆動とを行う駆動回路とを有するプラズマディスプレイ装置。
【請求項２】
プラズマ放電を利用して表示制御を行うプラズマディスプレイパネル装置であって，
複数のアドレス電極と，当該アドレス電極に交差して設けられる複数の表示電極とを有する表示パネルと，
前記アドレス電極と表示電極間のセルに選択的に放電を発生させるアドレス放電駆動と，前記選択されたセルで微少放電が連続的に生じる程度の傾きで電圧が増加する表示駆動パルスを前記表示電極に印加する表示放電駆動とを行う駆動回路とを有するプラズマディスプレイ装置。
【請求項３】
請求項１または２において，
前記表示パネルは，表示電極として，互いに隣接して配置された第１の表示電極と第２の表示電極とを有し，
前記駆動回路は，アドレス放電駆動において，前記第１及び第２の表示電極の一方を順次駆動しながら前記アドレス電極にアドレス電圧を印加するプラズマディスプレイ装置。
【請求項４】
請求項１または２において，
前記表示パネルは，表示電極として，互いに隣接して配置された第１の表示電極と第２の表示電極とを有し，
前記駆動回路は，表示放電駆動において，前記第１及び第２の表示電極間に前記表示駆動パルスを印加する第１の表示放電駆動と，前記第１または第２の表示電極とアドレス電極との間に前記表示駆動パルスを印加する第２の表示放電駆動とを行うプラズマディスプレイ装置。
【請求項５】
請求項１または２において，
前記駆動回路は，前記アドレス放電駆動とそれに続く表示放電駆動とを複数回繰り返し行うプラズマディスプレイ装置。
【請求項６】
請求項１または２において，
前記駆動回路は，前記アドレス放電駆動とそれに続く表示放電駆動とを複数回繰り返し行い，各表示放電駆動における表示駆動パルスの最終電圧値が，所定の比率で重み付けされているプラズマディスプレイ装置。
【請求項７】
請求項１または２において，
前記アドレス放電駆動に続く表示放電駆動で前記維持電極に印加される電圧は，単一極性の表示放電パルスであるプラズマディスプレイ装置。
【請求項８】
請求項１または２において、
前記駆動回路は、さらに、前記表示放電駆動の期間にて単一の前記表示駆動パルスを印加する回路であるプラズマディスプレイ装置。
【請求項９】
プラズマ放電を利用して表示制御を行うプラズマディスプレイ装置であって，
複数のアドレス電極と，当該アドレス電極に交差して設けられる複数の表示電極とを有するパネルと，
前記アドレス電極と表示電極間のセルに選択的に放電を発生させるアドレス放電駆動と，前記選択されたセルで放電電流が連続的に生じる程度の傾きで電圧が増加する表示駆動パルスを前記表示電極に印加する表示放電駆動とを行う駆動回路とを有し，
前記駆動回路は，さらに，フレーム期間内において，前記アドレス放電駆動とそれに続く１回の前記表示放電駆動とをそれぞれ行う複数のサブフレーム期間を有し，複数のサブフレーム期間において，アドレス放電駆動で点灯セルを選択して，フレーム期間内における各セルの輝度値を制御するプラズマディスプレイ装置。
【請求項１０】
請求項９において，
前記駆動回路は，各表示放電駆動における表示駆動パルスの立ち上がり傾斜を，所定の比率で重み付けしているプラズマディスプレイ装置。
【請求項１１】
請求項９において，
前記表示パネルは，表示電極として，互いに隣接して配置された第１の表示電極と第２の表示電極とを有し，
前記駆動回路は，アドレス放電駆動において，前記第１及び第２の表示電極の一方を順次駆動しながら前記アドレス電極にアドレス電圧を印加するプラズマディスプレイ装置。
【請求項１２】
請求項９において，
前記表示パネルは，表示電極として，互いに隣接して配置された第１の表示電極と第２の表示電極とを有し，
前記駆動回路は，表示放電駆動において，前記第１及び第２の表示電極間に前記表示駆動パルスを印加する第１の表示放電駆動と，前記第１または第２の表示電極とアドレス電極との間に前記表示駆動パルスを印加する第２の表示放電駆動とを行うプラズマディスプレイ装置。
【発明の詳細な説明】
【技術分野】
【０００１】
本発明は，プラズマディスプレイ装置に関し，特に，点灯セルを選択するアドレス期間と選択された点灯セルで表示のための放電である表示放電期間とを時間的に分離して駆動するプラズマディスプレイ装置に関する。
【背景技術】
【０００２】
プラズマディスプレイ装置（以下ＰＤＰ装置）は，プラズマディスプレイパネルとパネル内の電極を駆動する駆動装置とで構成される。現在普及しているＰＤＰ装置は，点灯セルを選択するアドレス期間と選択された点灯セルで表示のための放電である表示放電（または維持放電）の期間とを分離させたＡＤＳ方式で駆動される。【０００３】
図１は，従来のＰＤＰの電極構造と駆動波形を示す図である。図１（Ａ）は電極構造を示し，水平方向にＸ電極Ｘ０，Ｘ１とＹ電極Ｙ０，Ｙ１がそれぞれ対になって配置され，垂直方向にアドレス電極Ａ０〜Ａ４がＸ，Ｙ電極と交差するように配置されている。【０００４】
図１（Ｂ）は駆動波形を示し，特に表示放電（維持放電）での駆動波形を示す。図示しないアドレス期間において，Ｙ電極が順次走査され，そのＹ電極の走査に同期してアドレス電極に電圧を印加するかしないかにより，点灯セルを選択する。つまり，Ｙ電極が駆動されたときにアドレス電極に電圧が印加されると，その交差位置においてＹ電極とアドレス電極間でアドレス放電が生じる。次に，図１（Ｂ）に示した表示放電では，Ｘ電極とＹ電極とに交互に維持放電パルスＶｘ，Ｖｙを印加することで，Ｘ，Ｙ電極間に維持放電電圧を繰り返し印加し，アドレス放電により壁電荷が蓄積されている点灯セルのみに維持放電を繰り返し発生させる。【０００５】
このように，表示のための輝度を生成する表示放電では，Ｘ，Ｙ電極間に交番電圧を印加し，維持放電を繰り返し，維持放電回数により輝度値を再現する。この場合，Ｘ電極にＸ，Ｙ電極間の閾値電圧より十分に高い電圧Ｖｘが印加されると，Ｘ電極からＹ電極に向かって１回だけ強放電が発生し，高いピークをもつ放電電流ＩｄｉｓがＸ電極からＹ電極に向かって流れる。この強放電により放電空間中に発生した電子とイオンの対のうち，電子が正電極のＸ電極側に，イオンが負電極のＹ電極側に壁電荷としてそれぞれ蓄積される。この壁電荷の発生により，セル領域におけるＸ，Ｙ電極間には電圧差がなくなり，その後放電は発生しない。さらに，次の放電パルスは，Ｘ，Ｙ電極間に逆方向に印加され，蓄積壁電荷も利用して逆方向の強放電が発生する。このように，従来のＰＤＰ装置では，表示放電において，１つの維持放電パルスに応答して非常に短い幅で且つ高いピーク値を有する放電電流Ｉｄｉｓ（幅２００ｎｓ，ピーク値１００Ａ）を伴う１つの強放電が発生する。通常の表示放電期間では，維持放電パルスがＸ，Ｙ電極であわせて１フレームで約２０００回印加され，その維持放電パルスの回数を制御することで，所望の輝度の表示に制御される。【０００６】
上記のようなＰＤＰ装置については，たとえば特許文献１に記載されている。
【特許文献１】特開２０００−４７６３５号公報
【発明の開示】
【発明が解決しようとする課題】
【０００７】
従来の強放電を利用する表示放電の場合，以下のような問題点を有する。第１に，１つの維持放電パルスに対して１回の強放電しか発生しないので，消費電力に対する放電効率が悪く，所望の輝度を得るためには多くの維持放電パルスを印加する必要があり，消費電力が大きくなる。つまり，放電効率を向上させて維持放電パルスの数を低減することが望まれる。【０００８】
第２に，表示放電が強放電であるために，放電電流Ｉｄｉｓのピーク値が高く，その高い放電電流によるＸ，Ｙ電極での電圧降下が原因で，ストリーキング現象が生じる。ストリーキング現象とは，より多くのセルが点灯する領域は，より少ないセルしか点灯しない領域よりも，同じ輝度値であっても，暗くなる現象であり，表示パターンに依存して輝度値が異なる現象である。この現象は，主に，大きな放電電流によるＸ，Ｙ電極での電圧降下が原因である。より多くのセルが点灯する領域ではこの電圧降下が大きくなり，維持放電パルスの電圧が低くなり，輝度が上がらなくなるのである。ストリーキング現象は，画質の低下を招くことになる。図１の例では，放電電流のピーク値が１００Ａとなっているが，ＰＤＰ装置の平均電流が約２Ａであることを考慮すると，そのピーク値の高さがいかに高いかが理解できる。【０００９】
第３に，表示放電が強放電であるために，維持放電パルスを複数回印加した後は，セル領域に壁電荷が蓄積されたままの状態になり，しかも，その壁電荷は，点灯セルと消灯セルとで異なる状態となると共に，点灯セルであっても壁電荷の極性がばらばらの状態となる。そのため，表示放電期間の後であってアドレス期間の前に，パネル全面を放電して全セルの状態を同じにするリセット放電が行われる。このリセット放電により表示期間以外の発光（背景発光）が生じ，黒表示の画質を低下させてしまう。これも画質の低下の原因となる。【００１０】
そこで，本発明の目的は，放電効率を向上させて消費電力を低減したＰＤＰ装置を提供することにある。【００１１】
さらに，本発明の別の目的は，画質を向上させたＰＤＰ装置を提供することにある。
【課題を解決するための手段】
【００１２】
上記の目的を達成するために，本発明の第１の側面によれば，プラズマ放電を利用して表示制御を行うプラズマディスプレイ装置であって，複数のアドレス電極と，当該アドレス電極に交差して設けられる複数の表示電極とを有するパネルと，前記アドレス電極と表示電極間のセルに選択的に放電を発生させるアドレス放電駆動と，前記選択されたセルで放電電流が連続的に生じる程度の傾きで電圧が増加する表示駆動パルスを前記表示電極に印加する表示放電駆動とを行う駆動回路とを有する。【００１３】
上記の目的を達成するために，本発明の第２の側面によれば，プラズマ放電を利用して表示制御を行うプラズマディスプレイ装置であって，複数のアドレス電極と，当該アドレス電極に交差して設けられる複数の表示電極とを有する表示パネルと，前記アドレス電極と表示電極間のセルに選択的に放電を発生させるアドレス放電駆動と，前記選択されたセルで微少放電が連続的に生じる程度の傾きで電圧が増加する表示駆動パルスを前記表示電極に印加する表示放電駆動とを行う駆動回路とを有する。【００１４】
上記第１または第２の側面によれば，アドレス放電駆動の後の表示放電駆動では，電圧の上昇傾斜が緩慢な表示駆動パルスが表示電極に印加されるので，表示電極に印加される電圧の上昇中に，選択されたセルにおいて微少放電が連続的に発生する。この鈍波放電によって，表示輝度が制御される。かかる鈍波放電では，従来の強放電とは異なり，表示駆動パルスを印加している間に複数回の微少放電が発生するので，放電効率を向上させ，消費電力を低下させることができる。さらに，従来の強放電のような高いピーク値を有する放電電流が発生しないで，瞬間的な放電電流値が低下し，ストリーキング現象が低減される。また，表示放電での鈍波放電では，放電終了時に点灯セルが全て同じ状態になっているので，その後のアドレス放電駆動前に全面パネルリセット放電を行う必要がない。よって，背景発光を低減することができる。【００１５】
上記第１または第２の側面において，好ましい実施例では，前記表示パネルは，表示電極として，互いに平行に配置された第１の電極と第２の電極とを有する。そして，駆動回路は，アドレス放電駆動において，前記第１及び第２の電極の一方を順次駆動しながら前記アドレス電極にアドレス電圧を印加し，表示放電駆動において，前記第１及び第２の電極間に前記表示駆動パルスを印加する。【００１６】
上記第１または第２の側面において，好ましい実施例では，前記表示パネルは，表示電極として，互いに隣接して配置された第１の表示電極と第２の表示電極とを有する。そして，駆動回路は，アドレス放電駆動において，前記第１及び第２の表示電極の一方を順次駆動しながら前記アドレス電極にアドレス電圧を印加する。さらに，駆動回路は，表示放電駆動において，前記第１及び第２の表示電極間に前記表示駆動パルスを印加する第１の表示放電駆動と，前記第１または第２の表示電極とアドレス電極との間に前記表示駆動パルスを印加する第２の表示放電駆動とを行う。第２の表示放電駆動により，アドレス電極上に蓄積した壁電荷を除去することができる。【００１７】
上記第１または第２の側面において，好ましい実施例では，前記駆動回路は，前記アドレス放電駆動とそれに続く表示放電駆動とを複数回繰り返し行う。表示放電駆動では，鈍波放電が発生するので，その後のアドレス放電駆動の前に全面パネルをリセットするリセット放電を必要としない。【００１８】
上記第１または第２の側面において，好ましい実施例では，前記駆動回路は，前記アドレス放電駆動とそれに続く表示放電駆動とを複数回繰り返し行い，各表示放電駆動における表示駆動パルスの最終電圧値が，所定の比率で重み付けされている。各表示放電駆動での表示駆動パルスは，所定の傾斜で電圧が上昇する。そこで，この表示駆動パルスの最終電圧値を大きくすることで，各微少放電の規模を大きくし，鈍波放電による輝度値を高くすることができる。したがって，アドレス放電駆動とそれに続く表示放電駆動を複数回繰り返し，各表示放電駆動の表示駆動パルスの最終電圧値を，例えば１：２：４：８などのバイナリ値の比率で重み付けすることで，多階調の輝度表示を行うことができる。【００１９】
上記の目的を達成するために，本発明の第３の側面によれば，プラズマ放電を利用して表示制御を行うプラズマディスプレイ装置であって，複数のアドレス電極と，当該アドレス電極に交差して設けられる複数の表示電極とを有するパネルと，前記アドレス電極と表示電極間のセルに選択的に放電を発生させるアドレス放電駆動と，前記選択されたセルで放電電流が連続的に生じる程度の傾きで電圧が増加する表示駆動パルスを前記表示電極に印加する表示放電駆動とを行う駆動回路とを有する。前記駆動回路は，さらに，フレーム期間内において，前記アドレス放電駆動とそれに続く１回の前記表示放電駆動とをそれぞれ行う複数のサブフレーム期間を有し，複数のサブフレーム期間において，アドレス放電駆動で点灯セルを選択して，フレーム期間内における各セルの輝度値を制御する。【００２０】
上記第３の側面によれば，フレーム期間を複数のサブフレーム期間で構成し，各サブフレーム期間では，アドレス放電駆動とそれに続く１回の表示放電駆動が行われる。各表示放電駆動が鈍波放電であるため，放電効率が高くなるとともに，表示放電駆動後に全面パネルリセット駆動が必要なく，背景発光を低減することができる。【００２１】
上記第３の側面において，好ましい実施例では，駆動回路は，各表示放電駆動における表示駆動パルスの最終電圧値を，所定の比率で重み付けしている。これにより，多階調の輝度表示を可能にする。
【発明の効果】
【００２２】
本発明によれば，表示放電を鈍波放電により行うので，放電効率を向上させて消費電力を低減できる。また，表示放電のピーク電流値を低減することができる。
【図面の簡単な説明】
【００２３】
【図１】従来のＰＤＰの電極構造と駆動波形を示す図である。
【図２】本実施の形態におけるＰＤＰ装置の構成と表示放電波形とを示す図である。
【図３】本実施の形態におけるＰＤＰ装置の表示パネルの詳細構成図である。
【図４】本実施の形態における第１の駆動波形例を示す図である。
【図５】本実施の形態における第２の駆動波形例を示す図である。
【図６】本実施の形態における第３の駆動波形例を示す図である。
【図７】第３の駆動波形例の１つのサブフレーム期間での波形を示す。
【図８】第３の駆動波形で駆動した時の点灯セルと消灯セルの電圧の変化を示す図である。
【図９】第３の駆動波形で駆動したときの表示パネル内の壁電荷の変化を示す図である。
【図１０】表示放電駆動を鈍波放電で行った実施例と，従来の駆動方法で表示放電駆動を強放電で行った従来例とを比較した図表である。
【符号の説明】
【００２４】
Ａ０〜Ａ４：アドレス電極          Ｙ０，Ｙ１：走査電極（Ｙ電極）
Ｘ０，Ｘ１：維持電極（Ｘ電極）    ＰＡＮ：表示パネル
ＤＲｘ，ＤＲｙ，ＤＲａ：駆動回路群
【発明を実施するための最良の形態】
【００２５】
以下，図面にしたがって本発明の実施の形態について説明する。但し，本発明の技術的範囲はこれらの実施の形態に限定されず，特許請求の範囲に記載された事項とその均等物まで及ぶものである。【００２６】
図２は，本実施の形態におけるＰＤＰ装置の構成と表示放電波形とを示す図である。図２（Ａ）に示したＰＤＰ装置は，表示パネルＰＡＮと駆動回路群ＤＲａ，ＤＲｘ，ＤＲｙ１，ＤＲｙ２とを有する。表示パネルＰＡＮは，水平方向に配置されたＸ電極Ｘ０，Ｘ１とＹ電極Ｙ０，Ｙ１からなる表示電極と，垂直方向に配置されたアドレス電極Ａ０〜Ａ４とを有し，Ｘ，Ｙ電極対とアドレス電極との交差位置にセル領域ＣＥＬが形成される。また，駆動回路群は，アドレス電極を駆動するアドレスドライバＤＲａ０〜ＤＲａ４と，Ｙ電極を駆動するＹドライバＤＲｙ０，ＤＲｙ１と，Ｘ電極を共通に駆動するＸドライバＤＲｘとを有する。これらの駆動回路群により，各電極に対して以下の駆動を行う。【００２７】
図２（Ｂ）に示した表示放電波形によれば，アドレス放電駆動に続く表示放電駆動にて，ＸドライバＤＲｘがＸ電極を所定の電圧に維持しながら，ＹドライバＤＲｙがＹ電極に前述の表示放電パルスＰｄｉｓを印加する。または，アドレス放電によっては，Ｘ電極とＹ電極とを逆にして，ＹドライバＤＲｙがＹ電極を所定の電圧に維持しながら，ＸドライバＤＲｘがＸ電極に所定の傾きで電圧が増加する表示放電パルスＰｄｉｓを印加する。あるいは，両ドライバＤＲｘ，ＤＲｙが，Ｘ，Ｙ電極間に表示放電パルスＰｄｉｓが印加されるようなパルスをそれぞれに印加する。【００２８】
表示放電駆動に先立ってアドレス放電駆動が行われ，選択されたセルにアドレス放電が発生している。このアドレス放電は，従来のアドレス放電と同じである。したがって，アドレス放電が発生した点灯セルのアドレス電極とＹ電極の誘電体層上に壁電荷が蓄積されている。そこで，前述の表示放電パルスＰｄｉｓがＸ，Ｙ電極に印加されると，壁電荷が蓄積されている点灯セルにおいて鈍波放電が発生する。【００２９】
この鈍波放電とは，従来の強放電とは異なり，放電を発生させる電極間に徐々に電圧が上昇する放電パルスＰｄｉｓを印加することで，微少放電を実質的に連続して発生させる放電である。微少放電が連続して発生するので，表示電極には放電電流が連続的に生じる。【００３０】
図２（Ｂ）には，ドライバＤＲｘ，ＤＲｙがＸ電極及びＹ電極に印加する印加電圧Ｖｘ，Ｖｙと，セル領域でのＸ電極とＹ電極間の電圧Ｖｘｙとが示されている。さらに，鈍波放電によりＸ，Ｙ電極に発生する放電電流Ｉｄｉｓが示されている。ドライバＤＲｘ，ＤＲｙにより表示放電パルスＰｄｉｓが印加されると，セル領域においてＸ，Ｙ電極間の電圧Ｖｘｙが上昇する。そして，電圧の上昇が緩慢な傾斜を有するので，放電閾値Ｖｔｈを超えるとそこで一旦放電が発生する。微少放電の発生によりその放電が発生した領域には壁電荷が蓄積され，その領域でのＸ，Ｙ電極間電圧Ｖｘｙは閾値電圧より低くなり放電は停止する。つまり，微少放電の発生に止まる。しかし，表示放電パルスＰｄｉｓは，更に電圧が上昇しているので，再びセル領域のＸ，Ｙ電極間電圧Ｖｘｙは閾値電圧を超えて放電が発生する。この場合も，壁電荷により放電が停止するので，微少放電である。このように，表示放電パルスＰｄｉｓの電圧値を徐々に上昇させるようにすることで，微少放電が連続的に発生する。その場合，セル領域においてＸ，Ｙ電極間電圧Ｖｘｙは，閾値電圧近傍を上下するだけである。【００３１】
上記の鈍波放電により，Ｘ，Ｙ電極に発生する放電電流Ｉｄｉｓも断続的に発生する。連続的に発生する微少放電による放電電流が重なり合って，あたかも所定の放電電流が連続して発生していることが確認される。図２に示した放電電流Ｉｄｉｓは，最初の微少放電から徐々に増加している。この理由は次の通りである。セル領域ＣＥＬにおいて，Ｘ電極とＹ電極は近接して配置されているが，両電極領域内においては，最も近接した領域もあれば，それより離れた領域もある。したがって，表示放電パルスＰｄｉｓが印加開始されると，両電極領域内で最も近接した領域間で最初に閾値電圧を超えて放電が発生する。更に，表示放電パルスＰｄｉｓの電圧が上昇すると，前記最も近接した領域間に加えて，その周囲の離れた領域間でも閾値電圧（最近接領域間よりも高い閾値電圧）を超えて放電が発生する。つまり，放電領域がより広がり放電電流も増加する。このように，微少放電の発生する領域がＸ，Ｙ電極領域内で徐々に拡がり，図２（Ｂ）に示したように放電電流Ｉｄｉｓが上昇するのである。【００３２】
本実施の形態において，上記の表示放電パルスの印加により鈍波放電で表示放電を行うと，以下のメリットを有する。第１に，単一の表示放電パルスの印加に対して，複数回の微少放電が連続して発生するので，従来の強放電に比較すると表示電極への駆動電力に対する放電効率が高くなる。また，従来の強放電のように，表示電極間に極性が交互に変わる交番パルスを印加していないので，電極間容量を充電・放電する必要がなく，無効電力が少ない。これにより，消費電力を低減できる。第２に，鈍波放電によれば，微少放電の連続発生によって少ない放電電流が継続するだけであるので，放電電流のピーク値が大幅に低減される。そのため，Ｘ，Ｙ電極の電圧降下が低減され，ストリーキング現象が低減される。そして第３に，鈍波放電では，セル領域におけるＸ，Ｙ電極間電圧Ｖｘｙが放電閾値電圧近傍に維持される。しかも，アドレス放電の後に１回の鈍波放電が行われるだけである。したがって，表示放電駆動が終了した時点では，点灯セルのＸ，Ｙ電極には，閾値電圧の差に対応した壁電荷状態になっている。この状態は，アドレス放電駆動が終了した時点での消灯セルの壁電荷状態と同等であり，従来の強放電のような大きな壁電荷が蓄積されてはいない。よって，全面パネルリセット放電を行うことなく，次のアドレス放電駆動に移行することができる。つまり，全面パネルリセット放電が不要になり，それに伴う背景発光が回避される。【００３３】
以上のように，従来の表示駆動での強放電を利用する表示放電とは異なり，本実施の形態の鈍波放電を利用した表示放電駆動を行うことにより，消費電力の低減と画質の向上を実現することができる。【００３４】
従来においても，全面パネルリセット放電において，徐々に電圧が上昇するリセットパルスを印加する鈍波放電が行われている。つまり，全てのセルに対して鈍波放電可能なリセットパルスを印加して，全てのセルにおける壁電荷の状態を，後続するアドレス放電駆動での閾値電圧近傍の状態にする。しかし，従来においては，アドレス放電駆動後の表示放電駆動では，強放電を発生する急峻な維持放電パルスが印加されている。【００３５】
また，前述の特許文献１によれば，維持放電パルスに単位発光領域の最小放電維持電圧値近傍から穏やかに増加する電圧値の波形を印加している。このような維持放電パルスを印加することにより，Ｘ，Ｙ電極間で放電を継続させている。しかしながら，特許文献１では，Ｘ，Ｙ電極間に逆極性の維持放電パルスが交互に印加されている。したがって，各維持放電パルスの終了時には，強放電を発生させて十分な壁電荷をＸ，Ｙ電極上に発生し，それにより，逆極性の維持放電パルスの印加による選択的な維持放電を実現している。つまり，特許文献１のＰＤＰでは，アドレス放電駆動の後の表示放電駆動では，複数の維持放電パルスを交互に印加している。それに対して，本実施の形態では，アドレス放電駆動の後に続く表示放電駆動では，鈍波放電を発生させる１回の放電駆動パルスが印加されるだけである。したがって，全面パネルリセット放電を必要としない。【００３６】
図３は，本実施の形態におけるＰＤＰ装置の表示パネルの詳細構成図である。平面図（Ａ）と，Ｃ１の断面図（Ｂ）及びＣ２の断面図（Ｃ）が示される。この表示パネルは，前面基板１０と背面基板２０とが放電空間を隔てて対向配置される。前面基板１０上には，水平方向の表示ラインに沿ってＸ電極Ｘ０，Ｘ１と，それに隣接して配置されるＹ電極Ｙ０，Ｙ１とが設けられ，誘電体層１２により被覆される。Ｘ，Ｙ電極は，共に，透明電極ＴＲＳとそれに重ねられたＣｒ／Ｃｕ／Ｃｒの３層構造のバス電極ＢＵＳとで構成される。また，Ｘ，Ｙ電極対の間には，背面基板２０の蛍光体２４を遮蔽するためのブラックストライプＢＳが配置されている。背面基板２０上には，表示ラインに垂直な方向に延びるアドレス電極Ａ０〜Ａ４と，それを被覆する誘電体層２２と，アドレス電極間に配置されセル領域を画定するリブＲＢと，誘電体層２２及びリブＲＢに重ねられた蛍光体層２４とが設けられる。【００３７】
そして，この表示パネルの駆動は，走査電極であるＹ電極Ｙ０，Ｙ１を順次走査しながら，そのタイミングに同期してアドレス電極Ａを駆動することで，選択的にセル領域でアドレス放電を発生させる。これにより，選択されて点灯したセルには，誘電体層１２，２２上に壁電荷が蓄積される。その後，Ｘ，Ｙ電極間に前述の表示放電パルスを印加することで，鈍波放電を生じさせる。この表示放電パルスは，アドレス放電の極性に対応して，Ｘ，Ｙ電極の一方から他方に向かう極性になる。ただし，表示放電パルスは１回だけ印加され，Ｘ，Ｙ電極間に極性を反転させた交番電圧を交互に印加することはしない。【００３８】
図４は，本実施の形態における第１の駆動波形例を示す図である。この例では，１フレーム期間ＦＭ内に３回のサブフレーム期間ＳＦ１〜ＳＦ３が割り当てられる。この３回のサブフレーム期間は，いずれも同じ波形で同じ期間である。各サブフレーム期間ＳＦ０〜ＳＦ３では，最初にアドレス放電駆動ＡＤＤが行われる。つまり，Ｙ電極を順次走査しながらそれに同期して点灯セルに対応するアドレス電極に電圧Ｖａを印加する。これにより，選択されたセルにおいてアドレス放電が発生する。次に，表示放電駆動ＤＩＳが行われる。表示放電駆動ＤＩＳでは，全Ｘ，Ｙ電極間に電圧が徐々に増加する１つの表示放電パルスＰｄｉｓが印加される。この電圧増加の傾斜は，前述した通りである。この表示放電パルスＰｄｉｓの印加により，点灯セルにおいてＸ，Ｙ電極間に前述した鈍波放電が発生する。また，表示放電パルスＰｄｉｓの最終電圧値Ｖ０は，点灯させない非選択セルにおいて鈍波放電が発生しない程度に制限される。つまり，選択セルにはアドレス放電による壁電荷が蓄積されているので，この壁電荷による電圧と，表示放電パルスＰｄｉｓによる電圧とが加算されて，選択セルのＸ，Ｙ電極間に鈍波放電が発生する。ただし，非選択セルには壁電荷が蓄積されず，表示放電パルスＰｄｉｓの最終電圧Ｖ０が印加されても，そこには放電は発生しない。【００３９】
図４の駆動波形例では，全てのサブフレーム期間ＳＦ１〜ＳＦ３で，同じ期間及び同じ終端電圧Ｖ０の表示放電パルスＰｄｉｓが印加される。したがって，全てのサブフレーム期間で同じ輝度値の表示が行われる。したがって，このサブフレーム期間のいずれかを選択して点灯することで，少なくとも３つのサブフレームを組み合わせることで４階調を表現することができる。【００４０】
図５は，本実施の形態における第２の駆動波形例を示す図である。この例でも，１フレーム期間ＦＭ内に３回のサブフレーム期間ＳＦ１〜ＳＦ３が割り当てられる。この３回のサブフレーム期間は，いずれも同じ期間であるが，それぞれの最終電圧Ｖ１，Ｖ２，Ｖ３が異なっている。この例では，Ｖ１：Ｖ２：Ｖ３＝４：２：１になっている。それに伴い，各サブフレームでの表示放電パルスＰｄｉｓ１，２，３の傾斜が順に緩くなっている。そして，いずれの最終電圧Ｖ１，Ｖ２，Ｖ３も，非点灯セルで放電が発生しない程度に制限されている。【００４１】
第２の駆動波形例においても，１フレーム期間ＦＭが３つのサブフレーム期間ＳＦ１〜ＳＦ３で構成され，各サブフレーム期間では，アドレス放電駆動ＡＤＤと表示放電駆動ＤＩＳとが行われる。アドレス放電駆動は，前述と同様である。また，表示放電駆動ＤＩＳでは，最初のサブフレーム期間ＳＦ１では，表示放電パルスＰｄｉｓ１の傾きが，Ｘ，Ｙ電極間に強放電は生じないが，微少放電が連続して発生する程度の傾斜を有する。そして，最初のサブフレーム期間ＳＦ１では，傾きが最も大きな表示放電パルスＰｄｉｓ１が印加されるので，重み４の輝度値が得られる。次に，２番目のサブフレーム期間ＳＦ２では，表示放電パルスＰｄｉｓ２の傾きが，パルスＰｄｉｓ１と同様に鈍波放電する程度の傾斜を有する。そして，パルスの立ち上がりは，最終電圧Ｖ２になる傾きを有するので，鈍波放電での微少放電規模は，最初のサブフレーム期間ＳＦ１よりも約１／２となり，輝度値も半分になる。そして，３番目のサブフレーム期間ＳＦ３では，表示放電パルスＰｄｉｓ２の傾きが，パルスＰｄｉｓ１と同様に鈍波放電する程度の傾斜を有する。そして，最終電圧Ｖ３が最も小さいので，鈍波放電での微少放電規模は最も小さく，輝度値は第１のサブフレーム期間ＳＦ１の約１／４となる。【００４２】
このように，第２の駆動波形例では，各サブフレーム期間での表示駆動パルスＰｄｉｓの傾きを異ならせて，異なる輝度値（４：２：１のバイナリの重みを持つ輝度値）を表示している。したがって，各サブフレーム期間で点灯すべきセルをアドレス放電により適宜選択することで，各セルに８階調の輝度値を表示することができる。【００４３】
図４，図５の駆動波形ではいずれも，アドレス放電駆動ＡＤＤと表示放電駆動ＤＩＳとが繰り返し行われる。しかも，アドレス放電駆動ＡＤＤの後の表示放電駆動ＤＩＳでは一つの表示放電パルス電圧がＸ，Ｙ電極間に印加され，鈍波放電が生成される。そして，各サブフレームでは，全面パネルリセット放電は行われない。鈍波放電に伴い，Ｘ，Ｙ電極間は閾値電圧状態にリセットされるので，全面パネルリセット放電は必要ない。【００４４】
図６は，本実施の形態における第３の駆動波形例を示す図である。図６には，アドレス電極に印加するアドレス電圧Ｖａと，Ｘ電極に印加するＸ電圧Ｖｘと，Ｙ電極に印加するＹ電圧Ｖｙとが示されている。この第３の駆動波形例において，フレーム期間ＦＭが３つのサブフレーム期間ＳＦ１〜ＳＦ３を有する。そして，各サブフレーム期間ＳＦ１〜ＳＦ３は，アドレス放電駆動ＡＤＤと，表示放電駆動ＤＩＳ，ＯＮｒｓｔとを有する。この例では表示放電駆動は，Ｘ，Ｙ電極間の第１の表示放電駆動ＤＩＳと，Ｙ電極とアドレス電極間及びＹ，Ｘ電極間の第２の表示放電駆動ＯＮｒｓｔとで構成される。これらの動作については，後に詳述する。【００４５】
そして，各表示放電駆動での表示放電パルスは，Ｘ，Ｙ電極間の第１の表示放電駆動ＤＩＳにおいて，それぞれ異なる最終電圧Ｖ１，Ｖ２，Ｖ３（Ｖ１：Ｖ２：Ｖ３＝４：２：１）を有し，Ｙ電極とアドレス電極間及びＹ，Ｘ電極間の第２の表示放電駆動ＯＮｒｓｔにおいて同じ波形を有する。Ｘ，Ｙ電極間の第１の表示放電駆動ＤＩＳにおいて，それぞれ異なる最終電圧Ｖ１，Ｖ２，Ｖ３にして，パルスの傾斜を異ならせて，異なる輝度値の表示を実現する。それにより，３つのサブフレームを組み合わせることで８階調の表示制御が可能になる。【００４６】
図７は，第３の駆動波形例の１つのサブフレーム期間での波形を示す。また，図８は，第３の駆動波形で駆動した時の点灯セルと消灯セルの電圧の変化を示す図である。そして，図９は，第３の駆動波形で駆動したときの表示パネル内の壁電荷の変化を示す図である。これらの図を参照して，第３の駆動波形例における放電動作を以下にて説明する。【００４７】
図７の駆動波形によれば，アドレス電圧Ｖａが印加される過程Ｐ０（ｔ０からｔ１の過程），Ｘ電圧Ｖｘが所定のレベルＶｘ１からＶｘ２に引き下げられる過程Ｐ１（ｔ２からｔ３の過程），Ｘ電圧Ｖｘが所定レベルＶｘ２に維持されたままＹ電圧Ｖｙがグランドからあるレベルまで徐々に増加する過程Ｐ３（ｔ３からｔ４の過程），その後Ｘ電圧ＶｘとＹ電圧Ｖｙとが共に増加する過程Ｐ４（ｔ４からｔ５の過程），そして，Ｘ電圧Ｖｘを所定レベルＶｘ１に維持してＹ電圧Ｖｙを引き下げる過程Ｐ５（ｔ５からｔ６の過程），そして，Ｙ電圧Ｖｙを徐々に引き下げる過程Ｐ６（ｔ６からｔ７の過程）とに分けられる。点灯セルでは過程Ｐ０，Ｐ３，Ｐ４，Ｐ６で放電が発生する。【００４８】
図８には，点灯セルと消灯セルにおけるＸ，Ｙ間電圧Ｘ−Ｙ（横軸）と，アドレス，Ｙ間電圧Ａ−Ｙ（縦軸）について，過程Ｐ０〜Ｐ６での変化が示される。図８中，実線は放電が発生する過程を示し，破線は放電が発生しない過程を示している。また，図８中，一点鎖線は，Ｘ，Ｙ間とアドレスＹ間の閾値電圧Ｖｔｈの閉曲線を示す。前述したとおり，鈍波放電では，電極間の電圧が閾値電圧Ｖｔｈを超えると微少放電が発生し，両電極間は閾値電圧近傍に維持される。したがって，閾値電圧の閉曲線と共に，上記の電圧の変位を示すことで，セルでの放電動作の理解を容易にすることができる。【００４９】
図９には，前面基板１０と背面基板２０の断面図が示され，過程Ｐ１，Ｐ３，Ｐ４，Ｐ６での放電動作が示されている。仮に，Ｘ電極Ｘ１，Ｙ電極Ｙ１は点灯セルを，Ｘ電極Ｘ０，Ｙ電極Ｙ０は消灯セルであるとする。【００５０】
まず，アドレス放電駆動ＡＤＤでは，過程Ｐ０にて，Ｙ電圧Ｖｙが引き下げられるタイミングでアドレス電圧Ｖａに正電圧が引き上げられると，その交差位置の点灯セルでアドレス放電ＤＳ０が発生する。つまり，アドレス電極Ａから点灯セルのＹ電極Ｙ１に向かって強放電が発生し，アドレス電極Ａ上には負の電荷が，Ｙ電極Ｙ１上には正の電荷がそれぞれ壁電荷として蓄積される。一方，消灯セルでは，放電は発生せず壁電荷も蓄積されない。【００５１】
点灯セルにおいて，ｔ０の状態では，Ｘ−Ｙ間電圧は閾値電圧Ｖｔｈレベルにあり，Ａ−Ｙ間電圧も閾値電圧Ｖｔｈレベルにある。そして，過程Ｐ０にて，Ｙ電圧Ｖｙが引き下げられてＡ電圧Ｖａが引き上げられると，Ａ−Ｙ間電圧が閾値電圧を超えて強放電が発生する。その結果，ｔ１の状態では，アドレス電極上とＹ電極上に壁電荷が蓄積され，Ａ−Ｙ電圧はゼロになる。同様に，Ｙ電極上の負電荷の蓄積により，Ｘ−Ｙ間電圧もゼロになる。消灯セルでは，過程Ｐ０で放電が発生しないので，電圧状態に変化はない。【００５２】
次に，過程Ｐ１（ｔ１−ｔ２）にて，Ａ電圧Ｖａが引き下げられＹ電圧Ｖｙが引き上げられると，点灯セルでは，ｔ２にてＡ−Ｙ間電圧が下がる。消灯セルではＡ電圧Ｖａ，Ｙ電圧Ｖｙの変化はない。【００５３】
次に，表示放電駆動ＤＩＳに移る。過程Ｐ２（ｔ２−ｔ３）にて，Ｘ電圧Ｖｘが電圧Ｖｘ１からＶｘ２に引き下げられる。これにより，点灯セルも消灯セルも共に，Ｘ−Ｙ間電圧が−Ｖｔｈだけ移動する。つまり，ｔ３にて，点灯セルではＸ−Ｙ間電圧が−Ｖｔｈになり，消灯セルでは０ｖになる。【００５４】
そして，過程Ｐ３（ｔ３−ｔ４）にて，Ｘ電圧ＶｘをＶｘ２に維持しながら，Ｙ電圧Ｖｙを徐々に増加させる。これにより，点灯セルでは，Ｙ電極Ｙ１からＸ電極Ｘ１に向かって鈍波放電ＤＳ３（図９）が発生する。消灯セルでは，壁電荷が蓄積されていないので，鈍波放電は発生しない。図８（Ａ）の点灯セル動作に示されるとおり，ｔ３の位置からＹ電圧Ｖｙが上昇すると，Ｘ−Ｙ間電圧もＡ−Ｙ間電圧も共に負の方向に移動する。しかし，点灯セルでは鈍波放電による微少放電が連続して発生する。その結果，Ｘ−Ｙ間電圧は閾値電圧Ｖｔｈ近傍に維持される。一方，図８（Ｂ）の消灯セル動作に示されるとおり，ｔ３の位置からＸ−Ｙ間電圧もＡ−Ｙ間電圧も共に負の方向に移動する。この鈍波放電ＤＳ３により，Ｙ電極Ｙ１上には負電荷が，Ｘ電極Ｘ１上には正電荷がそれぞれ蓄積される（図９（Ｂ）参照）。【００５５】
次に，表示放電駆動の後半であるオンリセット駆動ＯＮｒｓｔに移る。過程Ｐ４（ｔ４−ｔ５）では，Ｘ−Ｙ間電圧を変化させずに，Ｙ電圧ＶｙとＸ電圧Ｖｘとを共に徐々に増加する。つまり，このＹ電圧Ｖｙの上昇により，Ａ−Ｙ間電圧が低下し，やがて，点灯セルではＡ−Ｙ間電圧が閾値電圧−Ｖｔｈを超えて，Ｙ電極Ｙ１からアドレス電極Ａに向かって鈍波放電ＤＳ４が発生する。この鈍波放電により，アドレス電極Ａ上に蓄積していた負電荷は正電荷により中和され，リセットされる。また，過程Ｐ４での鈍波放電ＤＳ４でＹ電極Ｙ１上で負電荷が増加し，Ｘ−Ｙ間電圧が多少ゼロに近づく。さらに，消灯セルでは，Ａ−Ｙ間電圧が低下するのみである。【００５６】
Ｙ電圧Ｖｙは，過程Ｐ４で上昇するが，その最終電圧は，消灯セルのＹ−Ａ間で閾値電圧を超えないように制限される。これを超えると，消灯セルで鈍波放電が発生するからである。【００５７】
次に，過程Ｐ５（ｔ５−ｔ６）で，Ｙ電圧Ｖｙが一気に引き下げられる。これにより，点灯セル及び消灯セルのいずれも，Ｘ−Ｙ間電圧の極性が逆転される。但し，閾値電圧Ｖｔｈを超えない範囲で逆極性にされるだけであり，いずれのセルでも放電は発生しない。【００５８】
最後に，過程Ｐ６（ｔ６−ｔ７）にて，Ｙ電圧Ｖｙを徐々に引き下げると，Ｘ−Ｙ間電圧は増加し，Ａ−Ｙ間電圧も増加する。そして，ｔ６でＸ−Ｙ間電圧が閾値電圧レベルにあり，上記Ｙ電圧Ｖｙの引き下げにより，点灯セルでは，Ｘ電極Ｘ１からＹ電極Ｙ１に向かって鈍波放電ＤＳ６が発生し，両電極間電圧は閾値レベルに維持される。一方で，Ａ−Ｙ間電圧は，上昇して，ｔ７では元のｔ０の位置に戻る。つまり，Ｘ―Ｙ間電圧もＡ−Ｙ間電圧も共に閾値電圧の差をもつ最初の状態（ｔ０）になる。【００５９】
上記のとおり，表示放電駆動ＤＩＳ，ＯＮｒｓｔでは，前半の駆動ＤＩＳでＸ−Ｙ間の鈍波放電により，所定の輝度値の発光が生じる。さらに，後半のリセット駆動ＯＮｒｓｔでは，点灯セルでのアドレス電極Ａ上の壁電荷とＸ電極上の壁電荷とが，鈍波放電ＤＳ４，ＤＳ６によりリセットされる。このリセット放電でも所定の輝度値の発光が生じる。したがって，これら全ての鈍波放電ＤＳ３，ＤＳ４，ＤＳ６での発光量がそのサブフレームでの輝度値となる。【００６０】
そして，表示放電駆動ＤＩＳ，ＯＮｒｓｔの終了時には，点灯セルも消灯セルも共に，Ｘ−Ｙ電極間及びＡ−Ｙ電強放電間は閾値レベルに戻るので，次のサブフレームでのアドレス放電駆動の前に全面パネルリセット動作を行う必要はない。【００６１】
図７，図８，図９での駆動方法は，図３に示された３電極面放電型の表示パネルを使用した場合の例である。電極構造が異なる場合は，当然に異なる駆動波形を印加する必要がある。その場合でも，アドレス放電駆動の後の表示放電駆動で，維持電極に鈍波放電が発生する表示放電パルスを印加することで，表示放電駆動終了時において，点灯セルも消灯セルも共に，アドレス放電駆動直前の状態（閾値電圧レベル）にすることができる。【００６２】
さらに，図７の駆動方法では，Ｘ電極とＹ電極に前述の波形を印加しているが，上記動作を実現できるようなＸ−Ｙ間電圧が印加されればよいので，適宜他の波形に変形することができる。【００６３】
図６に戻り，輝度値が重み付けされる駆動波形について説明する。各サブフレーム期間ＳＦ１〜ＳＦ３にて，前半の表示放電駆動ＤＩＳでのＹ電圧Ｖｙの最終電圧Ｖ１，Ｖ２，Ｖ３を変えることで，その表示放電ＤＳ３での放電規模を変えることができる。それ以外の表示放電ＤＳ４，ＤＳ５は，リセットに必要な放電であり，その放電規模は同程度に制御される。そして，各サブフレーム期間でのアドレス放電駆動ＡＤＤで，点灯セルを選択することで，重み付けされた輝度値を組み合わせて所望の階調を表示することができる。最終電圧がＸ１：Ｘ２：Ｘ３＝４：２：１になっているので，サブフレームを組み合わせることで８階調を表示することができる。【００６４】
図１０は，図７の駆動波形により表示放電駆動を鈍波放電で行った実施例と，従来の駆動方法で表示放電駆動を強放電で行った例とを比較した図表である。従来例と本発明とについて，発光効率と無効電力，背景発光の輝度，ピーク電流値とが示されている。発光効率は約１．３倍向上し，無効電力は１／２００に低減し，全面パネルリセット放電により背景発光はなくなったので無限大に改善し，ピーク電流は１／２５に低減した。【００６５】
以上の通り，上記実施の形態では，ＰＤＰ装置の駆動回路がアドレス放電駆動と表示放電駆動とを行い，表示放電駆動では，鈍波放電を可能にする程度に電圧が徐々に上昇する表示放電パルスを維持電極（ＸまたはＹ電極）に印加する。それにより，発光効率が向上し無効電力が低減するとともに，全面リセット放電がなくなり背景発光がなくなり，そして，放電時のピーク電流を低減することができ，ストリーク現象を低減できる。
【産業上の利用可能性】
【００６６】
本発明によれば，消費電力を低減し，背景発光を減らし，ストリーク現象を低減できる。
【図１】
2006103718.tif 000002
【図２】
2006103718.tif 000003
【図３】
2006103718.tif 000004
【図４】
2006103718.tif 000005
【図５】
2006103718.tif 000006
【図６】
2006103718.tif 000007
【図７】
2006103718.tif 000008
【図８】
2006103718.tif 000009
【図９】
2006103718.tif 000010
【図１０】
2006103718.tif 000011
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
プラズマ放電を利用して表示制御を行うプラズマディスプレイ装置であって，
複数のアドレス電極と，当該アドレス電極に交差して設けられる複数の表示電極とを有するパネルと，
前記アドレス電極と表示電極間のセルに選択的に放電を発生させるアドレス放電駆動と，一回のアドレス放電に対して，前記選択されたセルで放電電流が連続的に生じる程度の傾きで電圧が連続して増加する表示駆動パルスを前記表示電極に，表示輝度にかかわらず一回印加する表示放電駆動とを行う駆動回路とを有するプラズマディスプレイ装置。
【請求項２】
プラズマ放電を利用して表示制御を行うプラズマディスプレイパネル装置であって，
複数のアドレス電極と，当該アドレス電極に交差して設けられる複数の表示電極とを有する表示パネルと，
前記アドレス電極と表示電極間のセルに選択的に放電を発生させるアドレス放電駆動と，一回のアドレス放電に対して，前記選択されたセルで放電電流が連続的に生じる程度の傾きで電圧が連続して増加する表示駆動パルスを前記表示電極に印加する表示放電駆動とを行う駆動回路とを有し，
前記表示駆動パルスは，前記表示電極に対して，表示輝度にかかわらず，放電時に単一の極性を有する電圧であることを特徴とするプラズマディスプレイ装置。
【請求項３】
請求項１または２において，
前記表示パネルは，表示電極として，互いに隣接して配置された第１の表示電極と第２の表示電極とを有し，
前記駆動回路は，アドレス放電駆動において，前記第１及び第２の表示電極の一方を順次駆動しながら前記アドレス電極にアドレス電圧を印加するプラズマディスプレイ装置。
【請求項４】
請求項１または２において，
前記表示パネルは，表示電極として，互いに隣接して配置された第１の表示電極と第２の表示電極とを有し，
前記駆動回路は，表示放電駆動において，前記第１及び第２の表示電極間に前記表示駆動パルスを印加する第１の表示放電駆動と，前記第１または第２の表示電極とアドレス電極との間に前記表示駆動パルスを印加する第２の表示放電駆動とを行うプラズマディスプレイ装置。
【請求項５】
請求項１または２において，
前記駆動回路は，前記アドレス放電駆動とそれに続く表示放電駆動とを複数回繰り返し行うプラズマディスプレイ装置。
【請求項６】
請求項１または２において，
前記駆動回路は，前記アドレス放電駆動とそれに続く表示放電駆動とを複数回繰り返し行い，各表示放電駆動における表示駆動パルスの最終電圧値が，所定の比率で重み付けされているプラズマディスプレイ装置。
【請求項７】
請求項１または２において，
前記アドレス放電駆動に続く表示放電駆動で前記維持電極に印加される電圧は，単一極性の表示放電パルスであるプラズマディスプレイ装置。
【請求項８】
請求項１または２において、
前記駆動回路は、さらに、前記表示放電駆動の期間にて単一の前記表示駆動パルスを印加する回路であるプラズマディスプレイ装置。
【請求項９】
プラズマ放電を利用して表示制御を行うプラズマディスプレイ装置であって，
複数のアドレス電極と，当該アドレス電極に交差して設けられる複数の表示電極とを有するパネルと，
前記アドレス電極と表示電極間のセルに選択的に放電を発生させるアドレス放電駆動と，前記選択されたセルで放電電流が連続的に生じる程度の傾きで電圧が連続して増加する表示駆動パルスを前記表示電極に印加する表示放電駆動とを行う駆動回路とを有し，
前記駆動回路は，さらに，フレーム期間内において，前記アドレス放電駆動とそれに続く１回の前記表示放電駆動とをそれぞれ行う複数のサブフレーム期間を有し，複数のサブフレーム期間において，アドレス放電駆動で点灯セルを選択して，フレーム期間内における各セルの輝度値を制御するプラズマディスプレイ装置。
【請求項１０】
請求項９において，
前記駆動回路は，各表示放電駆動における表示駆動パルスの立ち上がり傾斜を，所定の比率で重み付けしているプラズマディスプレイ装置。
【請求項１１】
請求項９において，
前記表示パネルは，表示電極として，互いに隣接して配置された第１の表示電極と第２の表示電極とを有し，
前記駆動回路は，アドレス放電駆動において，前記第１及び第２の表示電極の一方を順次駆動しながら前記アドレス電極にアドレス電圧を印加するプラズマディスプレイ装置。
【請求項１２】
請求項９において，
前記表示パネルは，表示電極として，互いに隣接して配置された第１の表示電極と第２の表示電極とを有し，
前記駆動回路は，表示放電駆動において，前記第１及び第２の表示電極間に前記表示駆動パルスを印加する第１の表示放電駆動と，前記第１または第２の表示電極とアドレス電極との間に前記表示駆動パルスを印加する第２の表示放電駆動とを行うプラズマディスプレイ装置。
【国際調査報告】
2006103718.tif 000012
2006103718.tif 000013
2006103718.tif 000014
2006103718.tif 000015